(57)【要約】【課題】配線・配管材を収容保護する、直状保護カバーと付属保護カバーとをまとめて保持することができる、配線・配管材用の保護カバーの保持具を提供する。【解決手段】保持具５は、直状保護カバー３と付属保護カバー４とを、保持するものであって、それら保護カバー３、４の境界部分に配置される保持具本体５ａと、その保持具本体５ａから延びて配設面１に固定される固定部５ｂとを備える。保持具本体５ａは、一側に、直状保護カバー３に跨がる第１本体部５ｘを有し、他側に、付属保護カバー４に跨がる第２本体部５ｙを有する。第１本体部５ｘには、直状保護カバー３の外周面に当接して配置されまたは隙間なく配置されて、その直状保護カバー３を支持する、第１支持部５ｃが設けられる。そして、第２本体部５ｙには、付属保護カバー４の外周面に当接して配置されまたは隙間なく配置されて、その付属保護カバー４を支持する、第２支持部５ｄが設けられる。【選択図】  図１
2014214821.tif 000002
【特許請求の範囲】
【請求項１】
配設面に配設されて配線・配管材を収容保護する直状保護カバーと、その直状保護カバーの一端側の外周面に端部が重なるようにして前記配設面に配設されて配線・配管材を収容保護する付属保護カバーとを、保持する、保持具であって、
前記直状保護カバーと前記付属保護カバーとの境界部分に配置される保持具本体と、その保持具本体から延びて前記配設面に固定される固定部とを備え、
前記保持具本体は、一側に、前記直状保護カバーに跨がる第１本体部を有し、他側に、前記付属保護カバーに跨がる第２本体部を有し、かつ、
前記第１本体部には、前記直状保護カバーの外周面に当接して配置されまたは隙間なく配置されて、その直状保護カバーを支持する、第１支持部が設けられ、前記第２本体部には、前記付属保護カバーの外周面に当接して配置されまたは隙間なく配置されて、その付属保護カバーを支持する、第２支持部が設けられる、配線・配管材用の保護カバーの保持具。
【請求項２】
前記固定部は、前記直状保護カバーと前記付属保護カバーとの配設方向に直交する両側に設けられる、請求項１に記載の配線・配管材用の保護カバーの保持具。
【請求項３】
請求項１または２に記載の保持具を用いた保持装置であって、
保護カバー用スペーサーを介して前記配設面に配設される、前記直状保護カバーおよび前記付属保護カバーに対応すべく、前記保持具の固定部と前記配設面との間に介在して前記保持具を嵩上げする保持具用スペーサーを備える、配線・配管材用の保護カバーの保持装置。
【発明の詳細な説明】
【技術分野】
【０００１】
この発明は、配線・配管材用の保護カバーの保持具、および配線・配管材用の保護カバーの保持装置であって、特に、直状保護カバーと付属保護カバーに係わる、保持具および保持装置に関するものである。
【背景技術】
【０００２】
従来、配線・配管材の保護カバーは、必要に応じて、直状保護カバーと、例えば分岐部分を形成する付属保護カバーとからなり、それら直状保護カバーと付属保護カバーとで配線・配管材の配線・配管経路を形成していた（例えば、特許文献１参照）。
【０００３】
そして、直状保護カバーは、基台と蓋体とからなっており、その直状保護カバーを保持したり基台への蓋体の組み付けを確実にしたりするために、保持具が用いられることがあった（例えば、特許文献２参照）。図１７に示すように、この保持具２４は、基台２３ａと蓋体２３ｂとからなって配線・配管材２２を収容保護する直状保護カバー２３に対し、跨がるようにして、配設面２１に取り付けられるものであって、直状保護カバー２３に跨がってその直状保護カバー２３を支持する支持部２４ａと、その支持部２４ａの両側に設けられて配設面２１に固定される固定部２４ｂとから構成されていた。
【先行技術文献】
【特許文献】
【０００４】
【特許文献１】特開２００９−２６４４０２号公報
【特許文献２】特開２０１１−９４８００号公報
【発明の概要】
【発明が解決しようとする課題】
【０００５】
しかし、前記従来の保持具２４は、直状保護カバー２３を保持することはできるものの、その直状保護カバー２３と付属保護カバーとをまとめて保持することはできず、その使い勝手がよくなかった。
【０００６】
この発明は、上記した従来の欠点を解決するためになされたものであり、その目的とするところは、直状保護カバーと付属保護カバーとをまとめて保持することができる、配線・配管材用の保護カバーの保持具、および配線・配管材用の保護カバーの保持装置を提供することにある。
【課題を解決するための手段】
【０００７】
この発明に係る配線・配管材用の保護カバーの保持具、および配線・配管材用の保護カバーの保持装置は、前記目的を達成するために、次の構成からなる。すなわち、
請求項１に記載の発明に係る配線・配管材用の保護カバーの保持具は、配設面に配設されて配線・配管材を収容保護する直状保護カバーと、その直状保護カバーの一端側の外周面に端部が重なるようにして前記配設面に配設されて配線・配管材を収容保護する付属保護カバーとを、保持する、保持具である。この保持具は、前記直状保護カバーと前記付属保護カバーとの境界部分に配置される保持具本体と、その保持具本体から延びて前記配設面に固定される固定部とを備える。ここで、前記保持具本体は、一側に、前記直状保護カバーに跨がる第１本体部を有し、他側に、前記付属保護カバーに跨がる第２本体部を有する。そして、前記第１本体部には、前記直状保護カバーの外周面に当接して配置されまたは隙間なく配置されて、その直状保護カバーを支持する、第１支持部が設けられ、前記第２本体部には、前記付属保護カバーの外周面に当接して配置されまたは隙間なく配置されて、その付属保護カバーを支持する、第２支持部が設けられる。
【０００８】
この保持具によると、保持具本体が、直状保護カバーと付属保護カバーとの境界部分に配置される。この保持具本体は、一側の、直状保護カバーに跨がる第１本体部に設けられた第１支持部が、直状保護カバーの外周面に当接または隙間なく配置されて、その直状保護カバーを支持し、他側の、付属保護カバーに跨がる第２本体部に設けられた第２支持部が、付属保護カバーの外周面に当接または隙間なく配置されて、その付属保護カバーを支持する。そして、保持具本体から延びる固定部が配設面に固定される。こうして、直状保護カバーと付属保護カバーとは、第１支持部と第２支持部とで個々に支持され、この保持具によりまとめて保持される。
【０００９】
また、請求項２に記載の発明に係る配線・配管材用の保護カバーの保持具は、請求項１に記載の保持具において、前記固定部は、前記直状保護カバーと前記付属保護カバーとの配設方向に直交する両側に設けられる。こうして、固定部を両側に設けることで、保持具本体が安定し、直状保護カバーおよび付属保護カバーをしっかりと保持することができる。
【００１０】
また、請求項３に記載の発明に係る配線・配管材用の保護カバーの保持装置は、請求項１または２に記載の保持具を用いた保持装置である。この保持装置は、保護カバー用スペーサーを介して前記配設面に配設される、前記直状保護カバーおよび前記付属保護カバーに対応すべく、前記保持具の固定部と前記配設面との間に介在して前記保持具を嵩上げする保持具用スペーサーを備える。こうして、保持具に対し、保持具用スペーサーを設けることで、直状保護カバーおよび付属保護カバーが、保護カバー用スペーサーを介して配設面に配設された場合にも、対応することができる。
【発明の効果】
【００１１】
この発明に係る配線・配管材用の保護カバーの保持具、および配線・配管材用の保護カバーの保持装置によれば、保持具本体における第１支持部と第２支持部とで、直状保護カバーと付属保護カバーとを個々に支持し、かつ、固定部が配設面に固定されることで、両保護カバーをまとめて保持することができる。
【図面の簡単な説明】
【００１２】
【図１】この発明の一実施の形態の、側面図である。
【図２】同じく、斜視図である。
【図３】同じく、分解斜視図である。
【図４】同じく、保持具の斜視図である。
【図５】同じく、保持具の正面図である。
【図６】同じく、保持具の底面図である。
【図７】同じく、図５におけるＡ−Ａ線による断面図である。
【図８】同じく、図５におけるＢ−Ｂ線による断面図である。
【図９】同じく、保持具用スペーサーの斜視図である。
【図１０】同じく、保持具用スペーサーの正面図である。
【図１１】同じく、保持具用スペーサーの底面図である。
【図１２】同じく、図１０におけるＣ−Ｃ線による断面図である。
【図１３】同じく、保持具用スペーサーを積み重ねたときの断面図である。
【図１４】この発明の他の実施の形態の、斜視図である。
【図１５】同じく、分解斜視図である。
【図１６】この発明のさらに他の実施の形態の、側面図である。
【図１７】従来の保持具および直状保護カバーを示す断面図である。
【発明を実施するための形態】
【００１３】
以下、この発明に係る配線・配管材用の保護カバーの保持具、および配線・配管材用の保護カバーの保持装置を実施するための形態を図面に基づいて説明する。
【００１４】
図１〜図１３は、本発明の一実施の形態を示す。図中符号１は、壁面、床面、天井面等からなる配設面を示す。２は、配線・配管材（配線材または配管材）を示す。３は、配線・配管材２用の直状保護カバーを示す。４は、配線・配管材２用の付属保護カバーを示す。５は、保護カバー（直状保護カバー３および付属保護カバー４）の保持具を示す。６は、保護カバー３、４の保持装置を示す。
【００１５】
直状保護カバー３と付属保護カバー４は、配設面１に配設されて配線・配管材２を収容保護するものである。そして、付属保護カバー４は、直状保護カバー３の一端側の外周面に端部４ａが重なるようにして配設面１に配設されて、これら直状保護カバー３と付属保護カバー４とは連なることとなる。そこで、保持具５は、これら直状保護カバー３と付属保護カバー４とを、保持するものであって、直状保護カバー３と付属保護カバー４との境界部分に配置される保持具本体５ａと、その保持具本体５ａから延びて配設面１に固定される固定部５ｂとを備える。ここで、保持具本体５ａは、一側に、直状保護カバー３に跨がる第１本体部５ｘを有し、他側に、付属保護カバー４に跨がる第２本体部５ｙを有する。そして、第１本体部５ｘには、直状保護カバー３の外周面に当接して配置されまたは隙間なく配置されて、その直状保護カバー３を支持する、第１支持部５ｃが設けられ、第２本体部５ｙには、付属保護カバー４の外周面に当接して配置されまたは隙間なく配置されて、その付属保護カバー４を支持する、第２支持部５ｄが設けられる。
【００１６】
また、保持具本体５ａは、その裏面側であって第１本体部５ｘと第２本体部５ｙとの境界位置に、付属保護カバー４の前記端部４ａにおける端面４ｂに対向する対向面５ｅを有する。
【００１７】
保持装置６は、前記保持具５を用いた保持装置であって、保護カバー用スペーサー７を介して配設面１に配設される、直状保護カバー３および付属保護カバー４に対応すべく、保持具５の固定部５ｂと配設面１との間に介在して保持具５を嵩上げする保持具用スペーサー８を備える。
【００１８】
具体的には、配線・配管材２は、配管材からなり、給水湯管等の通水管とかエアコン用の冷媒管とかの管２０１であったり、その管２０１が接続される継手２０２であったりする。
【００１９】
そして、直状保護カバー３は、真直ぐ延びて、配線・配管材２（詳しくは、管２０１）を収容保護する保護カバーであって、必要に応じて適宜長さに切断されて使用される。つまり、この直状保護カバー３は、その長手方向に直交する各断面形状が一定となっている。この直状保護カバー３は、図２および図３に示すように、配設面１側に位置する基台３ａと、その基台３ａに被る蓋体３ｂとを備える。基台３ａは、配設面１と対向する基部３ｃと、その基部３ｃから延設されて、配線・配管材２を支持する配線・配管材支持部３ｄとを有している。蓋体３ｂは、断面略逆Ｕ字状に形成されて、基台３ａに組み付けられる。ここで、蓋体３ｂには、内側に突設された被掛止め部３ｅが設けられ、この被掛止め部３ｅが、基台３ａに設けられた凹状の掛止め部３ｆに掛かることで、蓋体３ｂは、基台３ａに対し、弾性的に組み付けられる。なお、図中符号３ｇは、断熱材を示し、この断熱材３ｇは、蓋体３ｂの内面を覆うように設けられる。また、図示を省略するが、直状保護カバー３（詳しくは、基台３ａ）および後述する直状保護カバー用スペーサー７０１は、ビスとか釘等の固着具により、配設面１に固定される。
【００２０】
付属保護カバー４は、配線・配管材２（詳しくは、前記管２０１に続く継手２０２）を収容保護する保護カバーである。図示実施の形態においては、付属保護カバー４は、配線・配管材２の端側を収容保護する。この付属保護カバー４は、図３に示すように、配設面１側に位置する基台４ｃと、その基台４ｃに被る蓋体４ｄとを備える。基台４ｃは、その前面（配設面１とは反対側の面）に、継手２０２を部分的に収容する凹部４ｅを有している。そこで、継手２０２は、一部が凹部４ｅに収容された状態で、ビス９により、基台４ｃに固定される。蓋体４ｄは、後方（下方）に開口する箱型形状をした蓋体本体４ｅと、その蓋体本体４ｅから延設された断面略逆Ｕ字状の延設部４ｆとを備える。そして、この延設部４ｆの先端側が、付属保護カバー４の前記端部４ａとなって、直状保護カバー３の一端側の外周面に重なることとなる。つまり、この端部４ａ（延設部４ｆ）は、その内径（つまり、その開口幅および開口高さ）が、直状保護カバー３の外径（つまり、その幅および高さ）よりも大となるように形成されている。また、蓋体本体４ｅの前面（配設面１とは反対側の面）には、孔４ｇがあけられており、この孔４ｇを通って、水栓（図示せず）が、継手２０２の接続口２ａに接続される。なお、図示を省略するが、この付属保護カバー４においても、直状保護カバー３と同様に、蓋体４ｄは、基台４ｃに対し、弾性的に組み付けられる。また、図示を省略するが、付属保護カバー４（詳しくは、基台４ｃ）および後述する付属保護カバー用スペーサー７０２は、ビスとか釘等の固着具により、配設面１に固定される。
【００２１】
保持具５は、その保持具本体５ａ（第１本体部５ｘおよび第２本体部５ｙ）が、帯状であって略逆Ｕ字状に延びて形成されている。そして、この保持具本体５ａにおける第１本体部５ｘと第２本体部５ｙとは、相対的に第２本体部５ｙが、その内径が大となるように（つまり、その開口幅および開口高さが大となるように）段違いに形成され、その段差部分に、前述した対向面５ｅを有する。もっとも、図示実施の形態においては、第１本体部５ｘと第２本体部５ｙとは、相対的に第２本体部５ｙが、その内径のみならず外径においても大となるように段違いに形成されている。
【００２２】
そして、図示実施の形態においては、第１本体部５ｘ自身が、第１支持部５ｃとなって、直状保護カバー３の外周面に当接して配置されまたは隙間なく配置され、同様にして、第２本体部５ｙ自身が、第２支持部５ｄとなって、付属保護カバー４の外周面に当接して配置されまたは隙間なく配置される。すなわち、第１支持部５ｃと第２支持部５ｄとは、略逆Ｕ字状に形成され、相対的に第２支持部５ｄが、その内径が大となるように（つまり、その開口幅および開口高さが大となるように）形成される。
【００２３】
また、この保持具５において、固定部５ｂは、直状保護カバー３と付属保護カバー４との配設方向に直交する両側に設けられる。詳細には、固定部５ｂは、保持具本体５ａの両端に設けられ、側方に板状に延びて、略方形形状に形成されている。この固定部５ｂには、固定部５ｂ、ひいては保持具５を、配設面１に固定するためのビスとか釘等の固着具１０が通る取付孔５ｆが貫通するようにあけられている。また、固定部５ｂは、保持具用スペーサー８に設けられた後述する嵌合部８ｄが嵌合する被嵌合部５ｇを有していてる。図示実施の形態においては、被嵌合部５ｇは、穴からなり、固定部５ｂの下面５ｈ側にあけられている。
【００２４】
保護カバー用スペーサー７は、直状保護カバー３と配設面１との間に介在する直状保護カバー用スペーサー７０１と、付属保護カバー４と配設面１との間に介在する付属保護カバー用スペーサー７０２とからなる。そして、直状保護カバー用スペーサー７０１は、直状保護カバー３（詳しくは、基台３ａ）がちょうど載る大きさを有し、同様に、付属保護カバー用スペーサー７０２は、付属保護カバー４（詳しくは、基台４ｃ）がちょうど載る大きさを有している。
【００２５】
保持具用スペーサー８は、保持具５のそれぞれの固定部５ｂと配設面１との間に個別に介在する。この保持具用スペーサー８は、盤状に形成され、かつ、上面８ａが（詳しくは、下面８ｂを含めて）、保持具５における固定部５ｂの下面５ｈと略同一の大きさに形成されて、その上面８ａが、固定部５ｂの下面５ｈに一致するように合わせられる。すなわち、図示実施の形態においては、保持具用スペーサー８は、固定部５ｂの略方形形状に合わせた、略方形形状をしている。そして、保持具用スペーサー８は、固定部５ｂの取付孔５ｆと連通可能な、取付孔８ｃが、貫通するようにあけられている。そこで、固着具１０が、固定部５ｂの取付孔５ｆおよびこの取付孔８ｃを通って配設面１にねじ込まれたり打ち込まれたりする。
【００２６】
この保持具用スペーサー８は、嵌合部８ｄを有する。図示実施の形態においては、嵌合部８ｄは、突起からなり、保持具用スペーサー８の上面８ａ側に設けられる。そして、保持具５と保持具用スペーサー８とは、保持具５における被嵌合部５ｇにこの嵌合部８ｄが嵌合して組み付けられる（図１参照）。
【００２７】
また、保持具用スペーサー８は、必要に応じて、図１３に示すように、高さ方向に積み重ねられて配置される。そこで、保持具用スペーサー８は、嵌合部８ｅと被嵌合部８ｆとを有している。図示実施の形態においては、嵌合部８ｅは、突起からなり、保持具用スペーサー８の上面８ａ側に設けられ、被嵌合部８ｆは、穴からなり、保持具用スペーサー８の下面８ｂ側にあけられる。そして、一の保持具用スペーサー８の嵌合部８ｅが、他の保持具用スペーサー８の被嵌合部８ｆに嵌合して、複数の保持具用スペーサー８、８どうしが積み重ねられて組み付けられる。なお、図示実施の形態においては、保持具５と保持具用スペーサー８との組み付けに用いられる嵌合部８ｄと、保持具用スペーサー８、８どうしの組み付けに用いられる嵌合部８ｅとは、同一であるが（つまり、これらを兼ねた一つの嵌合部であるが）、これらを別々に形成してもよい。
【００２８】
また、保持具用スペーサー８は、保護カバー用スペーサー７の側面に当接する、当接部８ｇを有する。この当接部８ｇは、内側（つまり、保護カバー用スペーサー７側）を向く平面からなり、保護カバー用スペーサー７の平面からなる側面に安定して当接する。また、保持具用スペーサー８には、下面８ｂに、窪み８ｈが形成され、この窪み８ｈは、周面（図示実施の形態においては、当接部８ｇ側の面）に開口するように設けられている。
【００２９】
次に、以上の構成からなる保持具５および保持装置６の作用効果について説明する。この保持具５によると、保持具本体５ａが、直状保護カバー３と付属保護カバー４との境界部分に配置される。この保持具本体５ａは、一側の、直状保護カバー３に跨がる第１本体部５ｘに設けられた第１支持部５ｃが、直状保護カバー３の外周面に当接または隙間なく配置されて、その直状保護カバー３を支持し、他側の、付属保護カバー４に跨がる第２本体部５ｙに設けられた第２支持部５ｄが、付属保護カバー４の外周面に当接または隙間なく配置されて、その付属保護カバー４を支持する。そして、保持具本体５ａから延びる固定部５ｂが配設面１に固定される。こうして、直状保護カバー３と付属保護カバー４とは、第１支持部５ｃと第２支持部５ｄとで個々に支持され、保持具５によりまとめて保持される。すなわち、保持具本体５ａにおける第１支持部５ｃと第２支持部５ｄとで、直状保護カバー３と付属保護カバー４とを個々に支持し、かつ、固定部５ｂが配設面１に固定されることで、両保護カバー（直状保護カバー３と付属保護カバー４と）をまとめて保持することができる。さらに、保持具本体５ａに設けられた対向面５ｅが、付属保護カバー４の端面４ｂに対向するため、この付属保護カバー４の、直状保護カバー３側への位置ずれを防ぐことができる。
【００３０】
また、固定部５ｂを、直状保護カバー３と付属保護カバー４との配設方向に直交する両側に設けることで、両固定部５ｂ、５ｂが配設面１に固定されて保持具本体５ａが安定し、直状保護カバー３および付属保護カバー４をしっかりと保持することができる。
【００３１】
また、保持装置６にあっては、前記作用効果に加えて、保持具５に対し、保持具用スペーサー８を設けることで、直状保護カバー３および付属保護カバー４が、保護カバー用スペーサー７を介して配設面１に配設された場合にも、対応することができ、使い勝手がよい。
【００３２】
なお、本発明は、上述した実施の形態に限定されるわけではなく、その他種々の変更が可能である。例えば、保護カバー３、４は、基台３ａ、４ｃと蓋体３ｂ、４ｄとを備えるものでなくとも、例えば、パイプとかダクト（特に、下面がフラットなパイプとかダクト）からなっていてもよく、また、下方が開口するものであってもよい。
【００３３】
また、付属保護カバー４は、配線・配管材２における配線・配管経路の端部を収容保護するものでなくとも、その配線・配管経路の曲がり部分、分岐部分、延長部分等の中間部を収容保護するものであってもよい。図１４〜図１５は、分岐部分用の付属保護カバー４を用いた例を示し、付属保護カバー４および付属保護カバー用スペーサー７０２は、Ｔ字状に形成されている。ここで、図１４は、斜視図、図１５は、分解斜視図である。
【００３４】
また、直状保護カバー３および付属保護カバー４の配設にあたって、保護カバー用スペーサ７（直状保護カバー用スペーサー７０１および付属保護カバー用スペーサー７０２）とか保持具用スペーサー８を用いることなく、図１６に示すように、保護カバー３、４や保持具５が、直接配設面１に取り付けられてもよい。
【００３５】
また、この図１６に示すように、保持具５における第１本体部５ｘ自身が第１支持部５ｃとなるのではなく、例えば、第１本体部５ｘと第２本体部５ｙとが段差なく繋がり、第１支持部５ｃが、第１本体部５ｘから内側に突出して形成された突出片からなっていてもよい。ここで、この突出片からなる第１支持部５ｃは、第１本体部５ｘにおける、直状保護カバー３に跨がる方向の全周に設けられても、一部に設けられてもよい。また、図示を省略するが、第１支持部５ｃと同様にして、第２支持部５ｄは、第２本体部５ｙから内側に突出して形成された突出片からなっていてもよい。そして、この突出片からなる第２支持部５ｄは、第２本体部５ｙにおける、付属保護カバー４に跨がる方向の全周に設けられても、一部に設けられてもよい。
【００３６】
また、保持具５において、固定部５ｂは、直状保護カバー３と付属保護カバー４との配設方向に直交する両側に設けられなくとも、一側にのみ設けられるものであってもよい。
【符号の説明】
【００３７】
１  配設面
２  配線・配管材
３  直状保護カバー
４  付属保護カバー
４ａ  端部
５  保持具
５ａ  保持具本体
５ｂ  固定部
５ｃ  第１支持部
５ｄ  第２支持部
５ｘ  第１本体部
５ｙ  第２本体部
６  保持装置
７  保護カバー用スペーサー
８  保持具用スペーサー
【図１】
2014214821.tif 000003
【図２】
2014214821.tif 000004
【図３】
2014214821.tif 000005
【図４】
2014214821.tif 000006
【図５】
2014214821.tif 000007
【図６】
2014214821.tif 000008
【図７】
2014214821.tif 000009
【図８】
2014214821.tif 000010
【図９】
2014214821.tif 000011
【図１０】
2014214821.tif 000012
【図１１】
2014214821.tif 000013
【図１２】
2014214821.tif 000014
【図１３】
2014214821.tif 000015
【図１４】
2014214821.tif 000016
【図１５】
2014214821.tif 000017
【図１６】
2014214821.tif 000018
【図１７】
2014214821.tif 000019